(57)【特許請求の範囲】
【請求項１】
原子力プラントにおける塩素濃度のある海水系流体が流れるプロセス配管に元弁を介して接続される圧力導管と、該圧力導管に接続され、前記プロセス配管内の圧力を計測する計器とから成る海水系流体圧力測定装置に設置され、前記圧力導管に第１の電磁弁を介して接続され、該圧力導管内に水を注入して該圧力導管の内部に対しての水張りを行う水張りタンクと、該水張りタンクに第２の電磁弁を介して接続され、該水張りタンクの水が前記圧力導管に流れ込むように該水張りタンクに空気を送る空気貯槽と、前記元弁の出口付近の前記圧力導管に接続され、該圧力導管の塩素濃度を計測する塩素濃度計と、該塩素濃度計で計測された前記圧力導管の塩素濃度値と予め設定された塩素濃度値を比較する制御装置とを備え、前記塩素濃度計で計測された前記圧力導管の塩素濃度値と予め設定された塩素濃度値を比較して、前記第１及び第２の電磁弁の開閉操作を行うことで、前記圧力導管内に前記水張りタンクから水を注入して前記圧力導管の内部に対して水張りを行う海水系流体圧力測定装置の水張り装置であって、
前記塩素濃度計で計測された前記圧力導管の塩素濃度値が前記予め設定された塩素濃度値に達したら前記第１及び第２の電磁弁が開にされ、前記空気貯槽から空気を前記水張りタンクに送り、該水張りタンク内の水を前記圧力導管に注入して水張りを行うことを特徴とする海水系流体圧力測定装置の水張り装置。
【請求項２】
請求項１に記載の海水系流体圧力測定装置の水張り装置において、
前記制御装置は、前記塩素濃度計で計測された前記圧力導管の塩素濃度値と前記予め設定された塩素濃度値を比較して、前記第１及び第２の電磁弁に対して開閉指令を出力すると共に、前記塩素濃度計で計測された前記圧力導管の塩素濃度値が前記予め設定された塩素濃度値に達したら前記第１及び第２の電磁弁に対して開指令を与え、前記空気貯槽から空気を前記水張りタンクに送り、該水張りタンク内の水を前記圧力導管に注入して水張りを行うことを特徴とする海水系流体圧力測定装置の水張り装置。
【請求項３】
請求項１又は２に記載の海水系流体圧力測定装置の水張り装置において、
前記圧力導管の周囲には、ヒータが巻かれていることを特徴とする海水系流体圧力測定装置の水張り装置。
【請求項４】
請求項１乃至３のいずれか１項に記載の海水系流体圧力測定装置の水張り装置において、
前記圧力導管は、耐食性配管若しくは耐圧ホースから成ることを特徴とする海水系流体圧力測定装置の水張り装置。
【発明の詳細な説明】
【技術分野】
【０００１】
本発明は海水系流体圧力測定装置の水張り装置に係り、特に、原子力プラントにおいて塩素濃度のある海水系流体の圧力を測定する海水系流体圧力測定装置に備えられ、圧力導管の内部に対して水張りを行うものに好適な海水系流体圧力測定装置の水張り装置に関する。
【背景技術】
【０００２】
原子力プラントにおける塩素濃度のある海水系流体の圧力を測定する圧力測定装置として、海水が流れるプロセス配管の圧力を計測する圧力測定装置が知られている。
【０００３】
この圧力測定装置は、プロセス配管に圧力導管を介して接続された計器により、海水が流れるプロセス配管の圧力を測定するものである。
【０００４】
通常、原子力プラントの通常運転前には、従来から圧力導管の内部に対して水張りを実施し、計器からプロセス配管の取り合い部まで満水にすることにより、計器とプロセス配管を流れる海水が直接接触しないように配慮をしている。
【０００５】
また、原子力プラントの通常運転時には、圧力導管の内部に対して水張りを実施していることにより、純水（水）が圧力導管内に満水状態に保たれているため、プロセス配管内の圧力を正確に測定できるが、プロセス配管内の海水の塩素成分が徐々に圧力導管を伝い計器側近傍まで塩素濃度が上昇する懸念がある。
【０００６】
この塩素濃度に対処（耐腐食性を考慮）するため、例えば、圧力導管にステンレス配管の中でも耐食性を考慮したステンレス配管又はライニング配管を使用したり、或いは圧力導管に非金属材料である強化プラスチック又はフッ素樹脂の配管を使用している。
【０００７】
また、圧力導管の塩素濃度を低く抑える方法としては、常時又は随時、圧力導管に水（純水）を供給することにより、塩素濃度を低く一定に保持する方法がある。
【０００８】
なお、特許文献１には、常用電源喪失時、補給水系統損傷時においても自動的に水張りできる原子力プラントの差圧式水位計が記載されている。
【先行技術文献】
【特許文献】
【０００９】
【特許文献１】特開２０１３−２１７７８４号公報
【発明の概要】
【発明が解決しようとする課題】
【００１０】
しかしながら、従来技術では、海水系等の圧力を計測する圧力導管の塩素濃度対策として、配管の材質選定により対応しているが、計器回りの継手材料を含め金属材料を使用する必要がある。
【００１１】
そのため、耐食性をあげるため、海水系の塩素対策として、圧力導管内に水（純水）を満水状態にして水張りを行い塩素濃度を低い状態に保つと共に、圧力計測が正しく行われる必要がある。
【００１２】
本発明は上述の点に鑑みなされたもので、その目的とするところは、原子力プラントの塩素濃度のある海水系流体圧力の計測においても、塩素濃度を低く保つことができ、圧力計測を正確に行うことができるように水張りができる海水系流体圧力測定装置の水張り装置を提供することにある。
【課題を解決するための手段】
【００１３】
本発明の海水系流体圧力測定装置の水張り装置は、上記目的を達成するために、原子力プラントにおける塩素濃度のある海水系流体が流れるプロセス配管に元弁を介して接続される圧力導管と、該圧力導管に接続され、前記プロセス配管内の圧力を計測する計器とから成る海水系流体圧力測定装置に設置され、前記圧力導管に第１の電磁弁を介して接続され、該圧力導管内に水を注入して該圧力導管の内部に対しての水張りを行う水張りタンクと、該水張りタンクに第２の電磁弁を介して接続され、該水張りタンクの水が前記圧力導管に流れ込むように該水張りタンクに空気を送る空気貯槽と、前記元弁の出口付近の前記圧力導管に接続され、該圧力導管の塩素濃度を計測する塩素濃度計と、該塩素濃度計で計測された前記圧力導管の塩素濃度値と予め設定された塩素濃度値を比較する制御装置とを備え、前記塩素濃度計で計測された前記圧力導管の塩素濃度値と予め設定された塩素濃度値を比較して、前記第１及び第２の電磁弁の開閉操作を行うことで、前記圧力導管内に前記水張りタンクから水を注入して前記圧力導管の内部に対して水張りを行う海水系流体圧力測定装置の水張り装置であって、前記塩素濃度計で計測された前記圧力導管の塩素濃度値が前記予め設定された塩素濃度値に達したら前記第１及び第２の電磁弁が開にされ、前記空気貯槽から空気を前記水張りタンクに送り、該水張りタンク内の水を前記圧力導管に注入して水張りを行うことを特徴とする。
【発明の効果】
【００１４】
本発明によれば、原子力プラントの塩素濃度のある海水系流体の圧力の計測においても、塩素濃度を低く保つことができ、圧力計測を正確に行うことができるように水張りができる。
【図面の簡単な説明】
【００１５】
【図１】本発明の海水系流体圧力測定装置の水張り装置の実施例１を示す構成図である。
【発明を実施するための形態】
【００１６】
以下、図示した実施例に基づいて本発明の海水系流体圧力測定装置の水張り装置を説明する。
【実施例１】
【００１７】
図１に、本発明の海水系流体圧力測定装置の水張り装置の実施例１を示す。
【００１８】
該図に示す如く、本実施例の海水系流体圧力測定装置の水張り装置は、原子力プラントにおける塩素濃度のある海水系流体が流れるプロセス配管１に元弁３を介して接続される座元圧力導管２及び圧力導管４と、この圧力導管４に接続され、プロセス配管１内の圧力を計測する計器５とから成る海水系流体圧力測定装置に設置され、圧力導管４に第１の電磁弁１１を介して接続され、圧力導管４内に水を注入して圧力導管４の内部に対しての水張りを行う水張りタンク１０と、この水張りタンク１０に第２の電磁弁９を介して接続され、水張りタンク１０の水が圧力導管４に流れ込むように水張りタンク１０に空気を送る空気貯槽８と、元弁３の出口付近の圧力導管４に接続され、圧力導管４の塩素濃度を計測する塩素濃度計６と、この塩素濃度計６で計測された圧力導管４の塩素濃度値と予め設定された塩素濃度値を比較して、第１及び第２の電磁弁１１及び９に対して開閉指令を与える制御装置７とを備えて概略構成され、そして、制御装置７は、塩素濃度計６で計測された圧力導管４の塩素濃度値が予め設定された塩素濃度値に達したら第１及び第２の電磁弁１１及び９に開指令を与え、空気貯槽８から空気を水張りタンク１０に送り、水張りタンク１０内の水を圧力導管４に注入して水張りを行うものである。
【００１９】
また、圧力導管４は、耐食性配管或いは耐圧ホースを使用する場合があるが、本実施例では、どちらの場合も凍結を防止するために、圧力導管４の周囲にヒータ１４を巻いて凍結を防止するようにしている。
【００２０】
なお、符号１２はドレン弁，１３はプラグであり、これらは、ドレン水を排出する際に弁開閉を実施し、ドレン排出するものである。
【００２１】
また、第１及び第２の電磁弁１１及び９は、上述したように、塩素濃度計６で計測された圧力導管４の塩素濃度値が予め設定された塩素濃度値に達したら開指令が与えられ開放するが、塩素濃度計６で計測された圧力導管４の塩素濃度値が予め設定された塩素濃度値より低い場合には、第１及び第２の電磁弁１１及び９は、全閉が基本であるが、必ずしも全閉でなくてもよい。例えば、配管内を水が少しずつ流れるようにし、塩素濃度計６で計測された圧力導管４の塩素濃度値が予め設定された塩素濃度値に達したら、第１及び第２の電磁弁１１及び９を全開するようにしてもよい。
【００２２】
このような本実施例の構成とすることにより、原子力プラントの塩素濃度のある海水系流体圧力の計測においても、塩素濃度を低く保つことができ、圧力導管４が凍結しない構成とすることができ、圧力測定に影響を与えないので圧力計測を正確に行うことができるように水張りができる。
【００２３】
また、圧力導管４内への水張り自体は、塩素濃度計６による監視によって自動化により水張りが可能であるが、万が一、電源が無い場合には第１の電磁弁１１及び第２の電磁弁９を手動で開閉動作をすることにより、電源に依存しない構成で水張り操作を可能とすることができる。
【００２４】
なお、本発明は上記した実施例に限定されるものではなく、様々な変形例が含まれる。即ち、上記した実施例は、本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００２５】
１…プロセス配管、２…座元圧力導管、３…元弁、４…圧力導管、５…計器、６…塩素濃度計、７…制御装置、８…空気貯槽、９…第２の電磁弁、１０…水張りタンク、１１…第１の電磁弁、１２…ドレン弁、１３…プラグ、１４…ヒータ。
【図１】
0006356098.tif 000002